(57)【特許請求の範囲】
【請求項１】
ワイヤレス通信ネットワークにおいて動作するワイヤレス通信装置に結合されるように構成されるスマート記憶デバイスであって、前記スマート記憶デバイスは、
前記スマート記憶デバイスのメモリにネットワークアクセス情報を記憶するための手段と、前記ネットワークアクセス情報は、前記ワイヤレス通信ネットワークのサービスにアクセスするためのものである、
前記ワイヤレス通信装置にメッセージを送信するための手段と、前記メッセージは、前記スマート記憶デバイスによって記憶される前記ネットワークアクセス情報に対する更新を前記ワイヤレス通信装置に通知するデータを備え、ここで、前記データは、
前記ワイヤレス通信装置が前記ワイヤレス通信装置のアクティブな動作を保留し、前記ワイヤレス通信装置によって管理される情報の更新を開始するコマンドをさらに備え、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づく、
を備える、スマート記憶デバイス。
【請求項２】
前記１つ以上の条件は、
前記メッセージが前記ワイヤレス通信装置に送信されるときに前記ワイヤレス通信装置によって行われる前記動作のタイプに関わらず、前記更新を開始するための条件、または、
前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、請求項１に記載のスマート記憶デバイス。
【請求項３】
前記コマンドは、ユーザ入力を得るためのインジケーションをさらに備え、前記１つ以上の条件は、前記ユーザ入力に基づいて更新を開始するための条件を備える、請求項１に記載のスマート記憶デバイス。
【請求項４】
前記メッセージは、第２のメッセージを備えており、前記スマート記憶デバイスは、前記ワイヤレス通信装置に第１のメッセージを送信することに応答して、前記ワイヤレス通信装置のアクティブコールのリストを受信するための手段を備え、前記１つ以上の条件は、アクティブコールの前記リストに基づく、請求項１に記載のスマート記憶デバイス。
【請求項５】
前記ネットワークアクセス情報は、前記ワイヤレス通信装置のユーザに関連付けられた加入者情報、ネットワーク事業者情報、および認証情報のうちの少なくとも１つを備える、請求項１に記載のスマート記憶デバイス。
【請求項６】
前記コマンドは、前記更新を強制するように構成される、請求項１に記載のスマート記憶デバイス。
【請求項７】
スマート記憶デバイスが前記スマート記憶デバイスに記憶されるネットワークアクセス情報をワイヤレス通信装置に管理させるための方法であって、前記スマート記憶デバイスは、ワイヤレス通信ネットワークにおいて動作する前記ワイヤレス通信装置に結合されるように構成されており、前記方法は、
前記スマート記憶デバイスのメモリに前記ネットワークアクセス情報を記憶することと、前記ネットワークアクセス情報は、前記ワイヤレス通信ネットワークのサービスにアクセスするためのものである、
前記スマート記憶デバイスから前記ワイヤレス通信装置にメッセージを送信することと、前記メッセージは、前記スマート記憶デバイスによって記憶される前記ネットワークアクセス情報に対する更新を前記ワイヤレス通信装置に通知するデータを備え、ここで、前記データは、
前記ワイヤレス通信装置が前記ワイヤレス通信装置のアクティブな動作を保留し、前記ワイヤレス通信装置によって管理される情報の更新を開始するコマンドをさらに備え、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づく、
を備える、方法。
【請求項８】
ワイヤレス通信ネットワークにおいて動作するワイヤレス通信装置であって、前記ワイヤレス通信装置は、スマート記憶デバイスに結合されるように構成されており、前記ワイヤレス通信装置は、
前記スマート記憶デバイスから受信されるメッセージに基づく情報を記憶するための手段と、
前記スマート記憶デバイスからメッセージを受信するための手段と、前記メッセージは、前記スマート記憶デバイスによって記憶される前記ワイヤレス通信ネットワークのサービスにアクセスするためのネットワークアクセス情報に対する更新を前記ワイヤレス通信装置に通知するデータを備え、ここで、前記データは、
前記ワイヤレス通信装置が前記ワイヤレス通信装置のアクティブな動作を保留し、前記情報の更新を開始するコマンドをさらに備え、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づく、
を備える、ワイヤレス通信装置。
【請求項９】
前記１つ以上の条件に基づいて、前記情報の前記更新を開始するための手段をさらに備える、請求項８に記載のワイヤレス通信装置。
【請求項１０】
前記１つ以上の条件は、前記メッセージが前記ワイヤレス通信装置に送信されるときに前記ワイヤレス通信装置によって行われる前記動作のタイプに関わらず、前記更新を開始するための条件、または、
前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、請求項８に記載のワイヤレス通信装置。
【請求項１１】
前記コマンドは、ユーザ入力を得るためのインジケーションをさらに備え、前記１つ以上の条件は、前記ユーザ入力に基づいて更新を開始するための条件を備える、請求項８に記載のワイヤレス通信装置。
【請求項１２】
前記メッセージは、第２のメッセージを備えており、前記装置は、前記スマート記憶デバイスから第１のメッセージを受信することに応答して前記ワイヤレス通信装置のアクティブコールのリストを送信するための手段をさらに備え、前記１つ以上の条件は、アクティブコールの前記リストに基づく、請求項８に記載のワイヤレス通信装置。
【請求項１３】
前記スマート記憶デバイスは、ユニバーサル集積回路カード（ＵＩＣＣ）、または、加入者識別モジュール（ＳＩＭ）を備える、請求項１乃至６のいずれかまたは８乃至１２のいずれかに記載のワイヤレス通信装置。
【請求項１４】
ワイヤレス通信装置がスマート記憶デバイスと対話するための方法であって、前記方法は、
前記スマート記憶デバイスから前記ワイヤレス通信装置によって受信されるメッセージに基づいて、ワイヤレス通信装置で情報を記憶することと、
前記スマート記憶デバイスからメッセージを受信することと、前記メッセージは、前記スマート記憶デバイスによって記憶される、ワイヤレス通信ネットワークのサービスにアクセスするためのネットワークアクセス情報に対する更新を、前記ワイヤレス通信装置に通知するデータを備え、ここで、前記データは、前記ワイヤレス通信装置が前記ワイヤレス通信装置のアクティブな動作を保留し、前記情報の更新を開始するコマンドをさらに備え、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づく、
を備える、方法。
【請求項１５】
請求項７または１４に記載の方法を行うためにプロセッサによって実行可能な命令群を備えるコンピュータプログラム。
【発明の詳細な説明】
【優先権の主張】
【０００１】
[0001]  本出願は、２０１２年１１月１９日付で提出された「SYSTEMS, APPARATUS, AND METHODS FOR MANAGING INFORMATION IN A SMART STORAGE DEVICE」と題する米国仮特許出願６１／７２８，２０４号に対する優先権および米国特許法第１１９条（ｅ）の下での利益を請求するもので、その開示がその全てにおいてあらゆる目的で以下に明記されるかのように参照によって本書に組み込まれる。
【技術分野】
【０００２】
[0002]  以下に論じられる技術は、一般に、ワイヤレス通信に関し、より具体的には、ワイヤレス通信装置によってスマート記憶デバイスから更新された情報を得ることに関する。
【背景技術】
【０００３】
[0003]  ワイヤレス通信システムは、音声およびデータのような様々な種類の通信コンテンツを提供するように、広く展開されている。典型的なワイヤレス通信システムは、利用可能なシステムリソース（例えば、帯域幅、送信電力など）を共有することによって、複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、このようなシステムは、第３世代パートナシッププロジェクト（３ＧＰＰ）、３ＧＰＰ２、３ＧＰＰロングタームエボリューション（ＬＴＥ）、ＬＴＥアドバンスト（ＬＴＥ−Ａ）などのような仕様に適合できる。
【０００４】
[0004]  一般に、ワイヤレス多元接続通信システムは、複数の移動デバイスのための通信を同時にサポートし得る。各移動デバイスは、順方向および逆方向リンクにおける送信を介して、１つ以上の基地局と通信し得る。順方向リンク（またはダウンリンク）は、基地局から移動デバイスへの通信リンクを指し、逆方向リンク（またはアップリンク）は、移動デバイスから基地局への通信リンクを指す。
【０００５】
[0005]  移動デバイスは、ネットワークアクセス情報、並びにこの移動デバイスが動作し得るワイヤレス通信システムの１つ以上のネットワーク事業者に関連する他のデータを記憶するユニバーサル集積回路カード（ＵＩＣＣ：universal integrated circuit card）のようなスマート記憶デバイスをさらに含み得る。スマート記憶デバイスは、移動デバイスにサービスを提供するために１つ以上のアプリケーションを実行するように構成される制御装置を含み得る。
【発明の概要】
【０００６】
[0006]  添付の請求項の範囲内の、システム、方法、およびデバイスの様々な実施形態の各々は、いくつかの態様を有する。いくつかの実施形態では、これら態様の全てまたはいくつかが実施形態の利点および特徴を可能にして提供できる。添付の請求項の適用範囲を限定せずに、いくつかの優れた特徴が本書で述べられる。
【０００７】
[0007]  本明細書に記述される主題の１つ以上の実施形態の詳細は、以下の説明および添付の図面に明記される。他の特徴、態様、および利点は、明細書、図面、および特許請求の範囲から明らかであろう。以下の図面の相対寸法は、縮尺の通りではないことに、留意されたい。
【０００８】
[0008]  本開示に記述される主題の一態様は、ワイヤレス通信ネットワークにおいて動作するワイヤレス通信装置に結合されるように構成されるスマート記憶デバイスを提供する。このスマート記憶デバイスは、ワイヤレス通信ネットワークのサービスにアクセスするためのネットワークアクセス情報を記憶するように構成されるメモリを含む。このスマート記憶デバイスは、ワイヤレス通信装置にメッセージを送信するように構成される制御装置をさらに含む。このメッセージは、スマート記憶デバイスによって記憶されるネットワークアクセス情報に対する更新をワイヤレス通信装置に通知するデータを含む。このデータは、ワイヤレス通信装置が１つ以上の条件に基づいてワイヤレス通信装置のアクティブな動作を保留し(suspend)、ワイヤレス通信装置によって管理される情報の更新を開始するコマンドをさらに含み、情報の更新は更新されるネットワークアクセス情報の少なくとも一部に基づく。
【０００９】
[0009]  本開示に記述される主題の別の態様は、スマート記憶デバイスに記憶されるネットワークアクセス情報を管理する方法の実施を提供するもので、このスマート記憶デバイスは、ワイヤレス通信ネットワークにおいて動作するワイヤレス通信装置に結合されるように構成される。この方法は、スマート記憶デバイスのメモリにネットワークアクセス情報を記憶することを含み、ネットワークアクセス情報はワイヤレス通信ネットワークのサービスにアクセスするためのものである。この方法は、ワイヤレス通信装置にメッセージを送信することさらに含む。このメッセージは、スマート記憶デバイスによって記憶されるネットワークアクセス情報に対する更新をワイヤレス通信装置に通知するデータを含む。このデータは、ワイヤレス通信装置が１つ以上の条件に基づいてワイヤレス通信装置のアクティブな動作を保留し、ワイヤレス通信装置によって管理される情報の更新を開始するコマンドをさらに含む。情報の更新は、更新されるネットワークアクセス情報の少なくとも一部に基づく。
【００１０】
[0010]  本開示のさらに別の態様は、ワイヤレス通信ネットワークにおいて動作するワイヤレス通信装置に結合されるように構成されるスマート記憶デバイスを提供する。このスマート記憶デバイスは、スマート記憶デバイスのメモリにネットワークアクセス情報を記憶するための手段を含み、このネットワークアクセス情報はワイヤレス通信ネットワークのサービスにアクセスするためのものである。このスマート記憶デバイスは、ワイヤレス通信装置にメッセージを送信するための手段をさらに含む。このメッセージは、スマート記憶デバイスによって記憶されるネットワークアクセス情報に対する更新をワイヤレス通信装置に通知するデータを含む。このデータは、ワイヤレス通信装置が１つ以上の条件に基づいてワイヤレス通信装置のアクティブな動作を保留し、ワイヤレス通信装置によって管理される情報の更新を開始するコマンドをさらに含み、情報の更新は更新されるネットワークアクセス情報の少なくとも一部に基づく。
【００１１】
[0011]  本開示の他の態様は、実行時に、スマート記憶デバイスに、このスマート記憶デバイスに記憶されるネットワークアクセス情報を管理する方法を行わせる命令群でエンコードされた、非一時的コンピュータ可読媒体を含むコンピュータプログラム製品を提供する。このスマート記憶デバイスは、ワイヤレス通信ネットワークにおいて動作するワイヤレス通信装置に結合されるように構成される。この方法は、スマート記憶デバイスのメモリにネットワークアクセス情報を記憶することを含む。このネットワークアクセス情報は、ワイヤレス通信ネットワークのサービスにアクセスするためのものである。この方法は、ワイヤレス通信装置にメッセージを送信するためのコードをさらに含む。このメッセージは、スマート記憶デバイスによって記憶されるネットワークアクセス情報に対する更新をワイヤレス通信装置に通知するデータを含む。このデータは、ワイヤレス通信装置が１つ以上の条件に基づいてワイヤレス通信装置のアクティブな動作を保留し、ワイヤレス通信装置によって管理される情報の更新を開始するコマンドをさらに含む。情報の更新は、更新されるネットワークアクセス情報の少なくとも一部に基づく。
【００１２】
[0012]  本開示の別の態様は、ワイヤレス通信ネットワークにおいて動作するワイヤレス通信装置を提供する。このワイヤレス通信装置は、スマート記憶デバイスに結合されるように構成される。このワイヤレス通信装置は、スマート記憶デバイスから受信されるメッセージに基づいて情報を記憶するように構成されるメモリを含む。このワイヤレス通信装置は、スマート記憶デバイスからメッセージを受信するように構成される制御装置をさらに含む。このメッセージは、スマート記憶デバイスによって記憶されるワイヤレス通信ネットワークのサービスにアクセスするためのネットワークアクセス情報に対する更新をワイヤレス通信装置に通知するデータを含む。このデータは、ワイヤレス通信装置が１つ以上の条件に基づいてワイヤレス通信装置のアクティブな動作を保留し、情報の更新を開始するコマンドをさらに含む。情報の更新は、更新されるネットワークアクセス情報の少なくとも一部に基づく。
【００１３】
[0013]  本開示の別の態様は、スマート記憶デバイスと対話する(interacting)ための方法の実施を提供する。この方法は、スマート記憶デバイスからワイヤレス通信装置によって受信されるメッセージに基づいてワイヤレス通信装置で情報を記憶することを含む。この方法は、スマート記憶デバイスからメッセージを受信することをさらに含む。このメッセージは、スマート記憶デバイスによって記憶されるワイヤレス通信ネットワークのサービスにアクセスするためのネットワークアクセス情報に対する更新をワイヤレス通信装置に通知するデータを含む。このデータは、ワイヤレス通信装置が１つ以上の条件に基づいてワイヤレス通信装置のアクティブな動作を保留し、情報の更新を開始するコマンドをさらに含む。情報の更新は、更新されるネットワークアクセス情報の少なくとも一部に基づく。
【００１４】
[0014]  本開示の別の態様は、ワイヤレス通信ネットワークにおいて動作するワイヤレス通信装置を提供する。このワイヤレス通信装置は、スマート記憶デバイスに結合されるように構成される。このワイヤレス通信装置は、スマート記憶デバイスから受信されるメッセージに基づいて情報を記憶するための手段を含む。このワイヤレス通信装置は、スマート記憶デバイスからメッセージを受信するための手段をさらに含む。このメッセージは、スマート記憶デバイスによって記憶されるワイヤレス通信ネットワークのサービスにアクセスするためのネットワークアクセス情報に対する更新をワイヤレス通信装置に通知するデータを含む。このデータは、ワイヤレス通信装置が１つ以上の条件に基づいてワイヤレス通信装置のアクティブな動作を保留し、情報の更新を開始するコマンドをさらに含む。情報の更新は、更新されるネットワークアクセス情報の少なくとも一部に基づく。
【００１５】
[0015]  本開示の別の態様は、実行時に、ワイヤレス通信装置に、スマート記憶デバイスと対話するための方法を行わせる命令群によってエンコードされた、非一時的コンピュータ可読媒体を含むコンピュータプログラム製品を提供する。この方法は、スマート記憶デバイスから受信されるメッセージに基づいて情報を記憶することを含む。この方法は、スマート記憶デバイスからメッセージを受信することをさらに含む。このメッセージは、スマート記憶デバイスによって記憶されるワイヤレス通信ネットワークのサービスにアクセスするためのネットワークアクセス情報に対する更新をワイヤレス通信装置に通知するデータを含む。このデータはワイヤレス通信装置が１つ以上の条件に基づいてワイヤレス通信装置のアクティブな動作を保留し、情報の更新を開始するコマンドをさらに含む。情報の更新は、更新されるネットワークアクセス情報の少なくとも一部に基づく。
【００１６】
[0016]  他の態様、特徴、および実施形態は、添付の図と連携して、特定の、例示的な実施形態の以下の記述を見直すことで当業者にとって明らかになるはずである。複数の特徴が、以下の特定の実施形態および図と連携して記述され得るが、全ての実施形態は、本書に記述される有利な特徴のうちの１つ以上を含むことができる。言い換えると、１つ以上の実施形態が複数の特定の有利な特徴を有するものとして記述され得る一方で、このような特徴うちの１つ以上はまた、本書に記述される本発明の様々な実施形態に従って使用され得る。同様にして、例示的な実施形態が、デバイス、システムまたは方法の実施形態として以下に論じられることになるが、このような例示的な実施形態は、様々なデバイス、システムおよび方法において実現できることが理解されるべきである。
【図面の簡単な説明】
【００１７】
【図１】いくつかの実施形態に従う例示的なワイヤレス通信システムの簡易図である。
【図２】図１のワイヤレス通信システムにおいて使用され得るワイヤレス通信装置の機能ブロック図である。
【図３】図２のワイヤレス通信装置に結合され得るスマート記憶デバイスの機能ブロック図である。
【図４】いくつかの実施形態に従い、スマート記憶デバイスに結合されるワイヤレス通信装置が動作し得るＬＴＥネットワークアーキテクチャを示す図である。
【図５】いくつかの実施形態に従い、スマート記憶デバイスからワイヤレス通信装置にコマンドを送信するための例示的な通信フローを示すコールフロー図である。
【図６】一実施形態に従い、ワイヤレス通信装置がビジー状態（busy）である時に、スマート記憶デバイスからワイヤレス通信装置にリフレッシュコマンド（refresh command）を送信するための例示的な通信フローを示すコールフロー図である。
【図７】一実施形態に従い、リフレッシュを強制するためのインジケータを伴ってスマート記憶デバイスからワイヤレス通信装置にリフレッシュコマンドを送信するための例示的な通信フローを示すコールフロー図である。
【図８】一実施形態に従い、ワイヤレス通信装置にリフレッシュコマンドを送信するための例示的な方法の実施のフローチャートである。
【図９】一実施形態に従い、スマート記憶デバイスから受信されるリフレッシュコマンドを処理するための例示的な方法の実施のフローチャートである。
【図１０】一実施形態に従い、スマート記憶デバイスと対話するための例示的な方法の実施のフローチャートである。
【図１１】いくつかの実施形態に従い、ワイヤレス通信装置と結合され得る他の例示的な装置の機能ブロック図である。
【図１２】一実施形態に従い、スマート記憶デバイスに結合され得る他の例示的な装置の機能ブロック図である。
【図１３】いくつかの実施形態に従い、通信システムにおける様々なコンポーネントの機能ブロック図の一例を示す図である。
【発明を実施するための形態】
【００１８】
[0030]  慣例に従い、図面に示された様々な特徴が縮尺通りでないことがある。従って、様々な特徴の寸法は、明確さのために適宜拡大または縮小され得る。加えて、図面のうちのいくつかは、所定のシステム、方法またはデバイスのコンポーネントの全てを描いていないことがある。同一の参照符号が、明細書と図の全体にわたって、同様な特徴を指すために使用され得る。
【００１９】
[0031]  添付の請求項の範囲内で、実施形態の様々な態様が以下に記述される。本書に記述される態様が多種多様の形態で実施できること、および、本書に記述される任意の特定の構造および／または機能が単に実例であることが明らかであるべきである。本開示に基づいて、当業者は、本書に記述される１つの態様がその他の任意の態様とは独立に実施できること、および、これら態様のうちの２つ以上が様々な方式で組み合され得ることを理解すべきである。例えば、本書に明記される任意の数の態様を使用して装置が実施でき、および／または方法が実践できる。さらに、本書に明記される態様のうちの１つ以上と異なる、または、加えて、他の構造および／または機能を使用してこうした装置が実施でき、および／またはこうした方法が実践できる。
【００２０】
[0032]  「例示的な（exemplary）」という用語は、「例、事例、または実例としての役割を果たす」ことを意味するために本書で使用される。「例示的」なものとして本書に記述されるどの実施形態も、他の実施形態より有利である、または好ましいものとして必ずしも解釈されるべきでない。以下の記述は、当業者の誰もが本発明を行い使用することを可能にするために提示される。詳細が以下の記述において説明の目的で明記される。本発明がこれら特定の詳細を使用せずに実践できることを当業者が実現するであろうことを諒解されたい。他の事例では、不要な詳細で本発明の記述を分かりにくくしないように周知の構造およびプロセスが詳しく説明されない。このため、本発明が示された実施形態に限定されることは意図されず、本書に開示される特徴および原理に一致する最も広い範囲が与えられるべきである。
【００２１】
[0033]  一態様において、本書に記述される特定の実施形態は、ＵＩＣＣのようなスマート記憶デバイスおよびワイヤレス通信装置の間の対話を意図するものである。例えば、スマート記憶デバイスは、ネットワークへのアクセスを改善するための情報をワイヤレス通信装置に提供するワイヤレス通信装置のための更新されたネットワークアクセス情報を有し得る。ワイヤレス通信装置に変更されたネットワークアクセス情報を更新させるため、スマート記憶デバイスは、ワイヤレス通信装置に「リフレッシュ」コマンドを送信し、変更されたネットワークアクセス情報を更新するプロセスを開始することをワイヤレス通信装置に通知すし得る。ワイヤレス通信装置が、例えば長時間のデータコールにおいてビジー状態である場合、ワイヤレス通信装置は、占有されない状態（unoccupied）になるまでリフレッシュを行うことを待つように継続的に決定し得る。しかしながら、変更されたネットワークアクセス情報を更新するためにあまりに長時間待つことは、質の悪いネットワーク性能および質の悪いユーザエクスペリエンスをもたらし得る。
【００２２】
[0034]  本書に記述される特定の実施形態に従い、スマート記憶デバイスは、１つ以上の条件に基づいてワイヤレス通信装置のアクティブ動作を保留し、ワイヤレス通信装置によって管理される情報の更新を開始するためにさらなる情報を伴って「リフレッシュ」コマンドを送信する。例えば、これら条件は、ワイヤレス通信装置によって現在行われている他の活動、またはコールのタイプに関連し得る。例えば、一実施形態において、ワイヤレス通信装置は、リフレッシュコマンドを受信し、リフレッシュを行うためにデータコールを休止(pause)することを決定し得る。このような方式で、スマート記憶デバイスはリフレッシュを行うことをワイヤレス通信装置に「強制（force）」し、ユーザエクスペリエンスを向上させ得る。
【００２３】
[0035]  本書に記述される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような、様々なワイヤレス通信ネットワークのために使用され得る。「ネットワーク」および「システム」という用語は、しばしば同義で使用される。ＣＤＭＡネットワークは、ユニバーサル地上無線アクセス（ＵＴＲＡ：Universal Terrestrial Radio Access）、ｃｄｍａ２０００などのような無線技術を実装し得る。ＵＴＲＡは、広帯域ＣＤＭＡ（Ｗ−ＣＤＭＡ（登録商標））およびローチップレート（ＬＣＲ）を含む。ｃｄｍａ２０００は、ＩＳ−２０００、ＩＳ−９５、およびＩＳ−８５６基準をカバーする。ＴＤＭＡネットワークは、グローバルシステムフォーモバイルコミュニケーションズ（ＧＳＭ（登録商標）：Global System for Mobile Communications）のような無線技術を実装し得る。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ”などのような無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリース（release）である。ＵＴＲＡ、Ｅ−ＵＴＲＡ、ＧＳＭ、ＵＭＴＳおよびＬＴＥは、「第３世代パートナシッププロジェクト」（３ＧＰＰ）と称する機関からの文書において説明される。ｃｄｍａ２０００およびＥＶ−ＤＯは、「第３世代パートナシッププロジェクト２」（３ＧＰＰ２）と称する機関からの文書において説明される。
【００２４】
[0036]  シングルキャリア周波数分割多元接続（ＳＣ−ＦＤＭＡ）は、シングルキャリア変調および周波数領域等化（frequency domain equalization）を使用する、ワイヤレス通信システムにおいて使用される１つの技術である。ＳＣ−ＦＤＭＡは、ＯＦＤＭＡシステムと類似の性能および本質的に同じ全体の複雑さを有する。ＳＣ−ＦＤＭＡ信号は、特有のシングルキャリア構造のために、比較的低いピーク対平均電力比（ＰＡＰＲ）を有する。ＳＣ−ＦＤＭＡは、特に、比較的低いＰＡＰＲが送信電力効率の観点でモバイル端末に大きな恩恵をもたらすアップリンク通信において、多くの注目を集めている。それは現在、３ＧＰＰロングタームエボルーション（ＬＴＥ）、または進化型ＵＴＲＡにおけるアップリンク多元接続スキームのための実践的想定(working assumption)である。
【００２５】
[0037]  図１は、いくつかの実施形態に従う例示的なワイヤレス通信ネットワーク１００を示す。ワイヤレス通信ネットワーク１００は、複数のユーザ間での通信をサポートするように構成される。ワイヤレス通信ネットワーク１００は、例えばセル１０２ａ−１０２ｇのような、１つ以上のセル１０２に分割され得る。セル１０２ａ−１０２ｇにおける通信カバレッジは、例えばノード１０４ａ−１０４ｇのような、１つ以上のノード１０４（例えば、基地局）によって提供され得る。各ノード１０４は、対応するセル１０２に通信カバレッジを提供し得る。ノード１０４は、例えばＡＴ１０６ａ−１０６ｌのような複数のアクセス端末（ＡＴ）と対話し得る。参照を簡略化するために、ＡＴ１０６ａ−１０６ｌは、これ以降、アクセス端末１０６と呼ばれ得る。
【００２６】
[0038]  各ＡＴ１０６は、与えられた時点において順方向リンク（ＦＬ）および／または逆方向リンク（ＲＬ）上の１つ以上のノード１０４と通信し得る。ＦＬは、ノードからＡＴへの通信リンクである。ＲＬは、ＡＴからノードへの通信リンクである。ＦＬは、ダウンリンクとも呼ばれ得る。さらに、ＲＬはアップリンクとも呼ばれ得る。ノード１０４は、例えば適切な有線または無線インターフェースによって相互接続され得、互いと通信することが可能であり得る。従って、各ＡＴ１０６は、１つ以上のノード１０４を介して別のＡＴ１０６と通信し得る。
【００２７】
[0039]  無線通信ネットワーク１００は、広範の地理的領域にわたってサービスを提供し得る。例えば、セル１０２ａ−１０２ｇは、近傍内の数ブロック、または農村環境における数平方マイルのみをカバーし得る。一実施形態では、各セルは、（図示されていない）１つ以上のセクタにさらに分けられ得る。
【００２８】
[0040]  上述のように、ノード１０４は、他の通信ネットワーク、例えばインターネットまたは他のセルラーネットワークに、カバレッジエリア内でアクセスするアクセス端末（ＡＴ）１０６を提供し得る。
【００２９】
[0041]  ＡＴ１０６は、通信ネットワークにわたって音声またはデータを送信および受信するためにユーザによって使用されるワイヤレス通信デバイス（例えば、携帯電話、ルータ、パーソナルコンピュータ、サーバなど）であり得る。アクセス端末（ＡＴ）１０６はまた、ユーザ装置（ＵＥ）、移動局（ＭＳ）、または端末デバイスと、本書で呼ばれ得る。図示されるように、ＡＴ１０６ａ、１０６ｈ、および１０６ｊは、ルータを備える。ＡＴ１０６ｂ−１０６ｇ、１０６ｉ、１０６ｋ、および１０６ｌは、携帯電話を備える。しかしながら、ＡＴ１０６ａ−１０６ｌの各々は、任意の適切な通信デバイスを備え得る。
【００３０】
[0042]  以下の実施形態は図１を参照し得るが、ある人は、これらが他の通信基準に容易に適用され得ることを認識するはずである。例えば、一実施形態は、ＵＭＴＳ通信システムにおいて適用可能であり得る。いくつかの実施形態は、ＯＦＤＭＡ通信システムにおいて適合可能であり得る。通信システム２００は、さらに、符号分割多元接続（ＣＤＭＡ）システム、グローバルシステムフォーモバイルコミュニケーションシステム（ＧＳＭ）、広帯域符号分割多元接続（ＷＣＤＭＡ（登録商標））およびＯＦＤＭシステムを含むがこれらに限定されない任意のタイプの通信システムを備え得る。
【００３１】
[0043]  図２は、図１のワイヤレス通信システム１００内で用いられ得るワイヤレス通信装置２０２の例示的な機能ブロック図を示す。ワイヤレス通信装置２０２は、本書に記述される方法の少なくとも一部を実現するように構成され得るデバイスの一例である。例えば、ワイヤレス通信装置２０２は、ノード１０４またはＡＴ１０を備え得る。
【００３２】
[0044]  ワイヤレス通信装置２０２は、ワイヤレス通信装置２０２の動作を制御するプロセッサ２０４を含み得る。プロセッサ２０４はまた、中央処理装置（ＣＰＵ：central processing unit）、制御装置、または制御ユニット（control unit）とも呼ばれ得る。メモリ２０６は、読取専用メモリ（ＲＯＭ）およびランダムアクセスメモリ（ＲＡＭ）の両方を含み得、プロセッサ２０４に命令群およびデータを提供し得る。メモリ２０６の一部はまた、非揮発性のランダムアクセスメモリ（ＮＶＲＡＭ）を含み得る。プロセッサ２０４は、メモリ２０６に記憶されるプログラム命令群に基づいて、算術演算および論理演算（logical and arithmetic operations）を行う。メモリ２０６内の命令群は、本書に記述される方法を実践するために実行可能であり得る。
【００３３】
[0045]  プロセッサ２０４は、１つ以上のプロセッサで実現される処理システムの１つのコンポーネントであったり、これを備えたりし得る。１つ以上のプロセッサは、汎用マイクロプロセッサ、マイクロコントローラ、デジタル信号プロセッサ（ＤＳＰ）、フィールドプログラマブルゲートアレー（ＦＰＧＡ）、プログラマブルロジックデバイス（ＰＬＤ）、制御装置、ステートマシン、ゲーテッドロジック、離散ハードウェアコンポーネント、専用ハードウェア有限ステートマシン（dedicated hardware finite state machine）、または、計算または他の情報操作を行い得る他の任意の適切なエンティティの任意の組合せで実現され得る。
【００３４】
[0046]  処理システムはまた、ソフトウェアを記憶するための機械可読媒体を含み得る。ソフトウェアは、ソフトウェア、ファームウェア、ミッドウェア、マイクロコード、ハードウェア記述言語、または他の呼び名のいずれで呼ばれようと、任意のタイプの命令群を意味するように、幅広く解釈されるべきである。命令群は、コード（例えば、ソースコードフォーマット、バイナリコードフォーマット、実行可能コードフォーマット、またはその他任意の適切なフォーマットの、コード）を含み得る。命令群は、１つ以上のプロセッサによって実行されるときに、処理システムに、本書に記述される様々な機能を行わせる。
【００３５】
[0047]  ワイヤレス通信装置２０２はまた、送信機２１０および／または受信機２１２を含み得るハウジング２０８を含み、ワイヤレス通信装置２０２と遠隔地との間でのデータの送信および受信をさせ得る。送信機２１０および受信機２１２は、トランシーバ２１４へと組み合され得る。アンテナ２１６はハウジング２０８に取付けられ、トランシーバ２１４に電気的に結合され得る。ワイヤレス通信装置２０２はまた、（図示されない）複数の送信機、複数の受信機、複数のトランシーバ、および／または複数のアンテナを含み得る。
【００３６】
[0048]  ワイヤレス通信装置２０２はまた、トランシーバ２１４によって受信される信号のレベルを検出および数値化するために使用され得る信号検出器２１８を含み得る。信号検出器２１８は、総エネルギー、シンボルごとのサブキャリアごとのエネルギー（energy per subcarrier per symbol）、パワースペクトル密度、および他の信号のような信号を検出し得る。ワイヤレス通信装置２０２はまた、信号の処理に使用するためにデジタル信号プロセッサ（ＤＳＰ）２２０を含み得る。ＤＳＰ２２０は、送信のために１つ以上のフレームを生成するように構成され得る。
【００３７】
[0049]  ワイヤレス通信装置２０２は、いくつかの態様においてユーザインターフェース２２２をさらに備え得る。ユーザインターフェース２２２は、キーパッド、マイクロフォン、スピーカ、および／またはディスプレイを備え得る。ユーザインターフェース２２２は、ワイヤレス通信装置２０２のユーザに情報を伝達し、および／または、ユーザからの入力を受信する任意の要素またはコンポーネントを含み得る。
【００３８】
[0050]  ワイヤレス通信装置２０２の様々なコンポーネントは、バスシステム２２６によって一緒に結合され得る。バスシステム２２６は、例えばデータバスと、データバスに加えて、パワーバス、制御信号バス、およびステータス信号バス（status signal bus）を含み得る。当業者は、ワイヤレス通信装置２０２のコンポーネントは、その他のメカニズムを使用して互いに入力を提供するか、許可するか、互いに結合され得ることを、理解するだろう。
【００３９】
[0051]  複数の個別のコンポーネントが図２に示されるが、当業者は、複数のコンポーネントのうちの１つ以上が組み合されたり、共通に実装されたりし得ることを認識するはずである。例えば、プロセッサ２０４は、プロセッサ２０４に関して上述された機能を実現するためだけでなく、しかし、信号検出器２１８および／またはＤＳＰ２２０に関して上述された機能を実現するためにも使用され得る。さらに、図２に示されるコンポーネントの各々は、複数の個別の要素を使用して実現され得る。
【００４０】
[0052]  ワイヤレス通信装置２０２は、スマート記憶デバイス２３０に結合されるようにさらに構成され得る。スマート記憶デバイス２３０はユニバーサル集積回路カード（ＵＩＣＣ）と呼ばれたり、そのように構成されたりし得る。スマート記憶デバイス２３０はまた、加入者識別モジュール（ＳＩＭ）カードとして構成され得る。いくつかの実施形態では、ＵＩＣＣとして構成されるスマート記憶デバイス２３０は、加入者識別モジュール（ＳＩＭ）を含み得るか、加入者識別モジュールの機能を行うためのアプリケーションを備え得る。スマート記憶デバイス２３０は、ワイヤレス通信ネットワーク１００内で動作可能であること、または、１つ以上のネットワークサービスにアクセスすることをワイヤレス通信装置２０２にさせるために、システム決定、システム決定、およびシステム選択などの１つ以上の機能を実行するために使用され得る、構成データ、識別データ、および認証データを提供し得る。
【００４１】
[0053]  スマート記憶デバイス２３０は、ワイヤレス通信装置２０２に結合され得る。例えば、スマート記憶デバイス２３０は、スマート記憶デバイス２３０から選択的に取り外し可能であり、かつこれに挿入されるように構成され得る。これは、例えば、スマート記憶デバイス２３０が異なるワイヤレス通信装置に結合されることを可能にする。従って、スマート記憶デバイス２３０は、特定のワイヤレス通信装置２０２に固有の情報と比較して、ネットワークの加入者に関連付けられた情報を記憶し得る。
【００４２】
[0054]  図３は、図２のワイヤレス通信装置２０２に結合され得るスマート記憶デバイス２３０の機能ブロック図である。スマート記憶デバイス２３０は、本書に記述される方法の少なくとも一部を実現するように構成され得るデバイスの一例である。
【００４３】
[0055]  スマート記憶デバイス２３０は、スマート記憶デバイス２３０の動作を制御するプロセッサ３３２を含み得る。プロセッサ３３２はまた、中央処理装置（ＣＰＵ：central processing unit）、制御装置、または制御ユニット（control unit）とも呼ばれ得る。メモリ３３４は、読取専用メモリ（ＲＯＭ）およびランダムアクセスメモリ（ＲＡＭ）の両方を含み得、プロセッサ３３２に命令群およびデータを提供し得る。メモリ３３４の一部はまた、非揮発性のランダムアクセスメモリ（ＮＶＲＡＭ）を含み得る。プロセッサ３３２は、メモリ３３４に記憶されるプログラム命令群に基づいて、算術演算および論理演算（logical and arithmetic operations）を行う。メモリ３３４内の命令群は、本書に記述される方法を実現するために実行可能であり得る。メモリ３３４および制御装置３３２において命令群を使用するために、スマート記憶デバイスは、例えばジャバ（java）または他のコンピュータプログラミング言語を使用して、様々な異なるアプリケーションを作動させるように構成され得る。
【００４４】
[0056]  プロセッサ３３２は、１つ以上のプロセッサによって実現される処理システムの１つのコンポーネントであったり、これを備えたりし得る。１つ以上のプロセッサは、汎用マイクロプロセッサ、マイクロコントローラ、デジタル信号プロセッサ（ＤＳＰ）、フィールドプログラマブルゲートアレー（ＦＰＧＡ）、プログラマブルロジックデバイス（ＰＬＤ）、制御装置、ステートマシン、ゲーテッドロジック、離散ハードウェアコンポーネント、専用ハードウェア有限ステートマシン、または、計算または他の情報操作を行い得る他の任意の適切なエンティティの任意の組合せで実現され得る。処理システムはまた、ソフトウェアを記憶するための機械可読媒体を含み得る。命令群は、１つ以上のプロセッサによって実行されるときに、処理システムに、本書に記述される様々な機能を行わせる。
【００４５】
[0057]  スマート記憶デバイス２３０のプロセッサ３３２によって行われる１つ以上の機能は、スマート記憶デバイス２３０によって制御および管理される１つ以上のアプリケーションとして説明され得る。別の言い方をすると、プロセッサ３３２は、スマート記憶デバイス２３０によって提供される１つ以上のアプリケーションを作動させるように構成され得る。例えば、１つ以上のアプリケーションは、加入者識別モジュール（ＳＩＭ）を含み得、これは、ワイヤレス通信ネットワーク１００をアクセスするための、および、ネットワーク事業者の１つ以上の方針または優先権を管理するための、加入者識別および認証のようなネットワークアクセス情報を管理し得る。加入者識別モジュール３３８が複数のワイヤレス通信ネットワークに関する加入者情報を管理し得ることが、理解されるべきである。加えて、他のアプリケーション３４２および３４４、例えばネットワークアクセスアプリケーション３４４は、スマート記憶デバイス２３０によって提供され得る。加入者識別モジュール３３８は、ネットワークアクセスアプリケーションの一例である。加えて、アプリケーションツールキット３４０が提供され得、これは、スマート記憶デバイス２３０に提供される様々なアプリケーションの動作を管理する。例えば、アプリケーションツールキット３４０は、ワイヤレス通信装置２０２と通信し、およびワイヤレス通信装置２０２に、およびこれを介してコマンドおよび情報を送信および受信するために、アプリケーションに１つ以上の機能を提供し得る。スマート記憶デバイス２３０は、さらに、メモリ３３４に記憶され得るフォンブック情報を管理するフォンブックアプリケーション（phonebook application）３４６を含み得る。
【００４６】
[0058]  スマート記憶デバイス２３０に記憶されたデータは、ワイヤレス通信ネットワーク１００においてネットワーク事業者エンティティから送信されるコマンドおよびメッセージを介して、更新および／または維持され得る。
【００４７】
[0059]  図４は、ＬＴＥネットワークアーキテクチャ４００を示すダイヤグラムであり、ここにおいて、スマート記憶デバイス２３０に結合されるワイヤレス通信装置２０２（図２）は、いくつかの実施形態に従って動作し得る。ＬＴＥネットワークアーキテクチャ４００は、進化型パケットシステム（ＥＰＳ）４００と呼ばれ得る。ＥＰＳ４００は、１つ以上のワイヤレス通信装置１０２、進化型ＵＭＴ地上無線アクセスネットワーク（Ｅ−ＵＴＲＡＮ）４０２、進化型パケットコア（ＥＰＣ）４１０、ホーム加入者サーバ（ＨＳＳ）４０８、および事業者ＩＰサービス４２０を含み得る。ＥＰＳ４００は、他のアクセスネットワークと相互接続することができ、しかし、簡潔さのために、これらのエンティティ／インターフェースは示されない。図示されるように、ＥＰＳ４００は、パケット交換サービスを提供し、しかしながら、当業者が容易に理解し得るように、本開示全体に示される様々な概念は、回線交換サービスを提供するネットワークにまで拡張され得る。
【００４８】
[0060]  Ｅ−ＵＴＲＡＮ４０２は、進化型ＮｏｄｅＢ（ｅＮＢ）４０４および他のｅＮＢ４０６を含む。ｅＮＢ４０４は、ユーザおよび制御プレーンプロトコル端末を、ワイヤレス通信装置２０２に提供する。ｅＮＢ４０４は、バックホール（例えば、示されていないＸ２インターフェース）を介して他のｅＮＢ４０６に接続され得る。ｅＮＢ４０４は、基地局、ベーストランシーバ基地局、無線基地局、無線トランシーバ、トランシーバ機能、ベーシックサービスセット（ＢＳＳ）、拡張サービスセット（ＥＳＳ）、またはその他いくつかの適切な専門用語でも呼ばれ得る。ｅＮＢ４０４は、ＵＥ１０２のためのＥＰＣ４１０に、アクセスポイントを提供する。ワイヤレス通信装置２０２のいくつかの例は、セルラー電話、スマートフォン、セッション開始プロトコル（ＳＩＰ：session initiation protocol）電話、ラップトップ、携帯情報端末（ＰＤＡ：personal digital assistant）、衛星ラジオ、グローバルポジショニングシステム、マルチメディアデバイス、ビデオデバイス、デジタルオーディオプレーヤ（例えばＭＰ３プレーヤ）、カメラ、ゲーム機、またはその他任意の同様の機能を有するデバイスを含む。ワイヤレス通信装置２０２は、当業者によって、移動局、加入者ステーション（subscriber station）、モバイルユニット、加入者ユニット、ワイヤレスユニット、リモートユニット、移動デバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはその他いくつかの適切な専門用語でも呼ばれ得る。
【００４９】
[0061]  ｅＮＢ４０４は、ＥＰＣ４１０に、Ｓ１インターフェースによって接続される。ＥＰＣ４１０は、モビリティ管理エンティティ（ＭＭＥ）４１２、他のＭＭＥ４１６、サービングゲートウェイ４１４、およびパケットデータネットワーク（ＰＤＮ）ゲートウェイ４１８を含む。ＭＭＥ４１２は、ワイヤレス通信装置２０２およびＥＰＣ４１０の間の信号伝達を処理する制御ノードである。一般に、ＭＭＥ４１２は、ベアラおよび接続管理を提供する。全てのユーザＩＰパケットは、サービングゲートウェイ４１４を介して伝送され、これ自体は、ＰＤＮゲートウェイ４１８に接続される。ＰＤＮゲートウェイ４１８は、ＵＥ ＩＰアドレス割り当て、および他の機能を提供する。ＰＤＮゲートウェイ４１８は、事業者のＩＰサービス４２０に接続される。事業者のＩＰサービス４２０は、インターネット、イントラネット、ＩＰマルチメディアサブシステム（ＩＭＳ）、およびＰＳストリーミングサービス（ＰＳＳ）を含み得る。図４が本書に記述される原則に従って用いられ得るネットワークアーキテクチャの一例を提示していることと、他の無線アクセス技術（例えば、ｃｄｍａ２０００など）に基づく他のネットワークアーキテクチャがさらに検討されることとが、留意される。
【００５０】
[0062]  スマート記憶デバイス２３０は、上述されたように、ワイヤレス通信装置２０２に結合される。ＥＰＣ４１０は、ワイヤレス通信装置２０２にサービスを提供するために、スマート記憶デバイス２３０におけるデータを使用し得る。例えば、ネットワークアクセス情報は、ＥＰＣ４１０の加入者に関連付けられたスマート記憶デバイス２３０によって記憶され得る。上述されたように、ネットワークアクセス情報は、ワイヤレス通信装置２０２よりむしろＥＰＣ４１０の加入者に固有のものであり得る。このように、スマート記憶デバイス２３０は、いくつかの異なるワイヤレス通信装置に結合され得、さらに、スマート記憶デバイス２３０が結合される特定のワイヤレス通信装置２０２に関わらず、加入者がＥＰＣ４００にアクセスすることを依然として可能にする。図４に示されるように、ｅＮＢ４０４は、ワイヤレス通信装置２０２を介してスマート記憶デバイス２３０に情報を送信し、およびこれから情報を受信し得る。この場合において、ワイヤレス通信装置２０２は、ｅＮＢ４０２およびスマート記憶デバイス２３０の間の媒介として動作する。いくつかの場合において、ｅＮＢ４０２およびスマート記憶デバイス２３０の間で送信される情報は、ワイヤレス通信装置２０２がメッセージのコンテンツを判断することができないように、暗号化される。このことは、確実な認証手順および他のネットワークアクセス手順が、スマート記憶デバイス２３０およびネットワーク４００のみによって果たされることを、可能にし得る。
【００５１】
[0063]  スマート記憶デバイス２３０は、アプリケーションツールキット３４０を介し、アプリケーションがこれらアプリケーションによって要求される機能をサポートし得るワイヤレス通信装置２０２と対話および動作する機能を提供する。一態様では、アプリケーションツールキットは、「先行（proactive）」コマンドを提供し得、ここにおいて、スマート記憶デバイス２３０は、ワイヤレス通信装置２０２によって果たされる動作を開始し得る。
【００５２】
[0064]  図５は、いくつかの実施形態に従い、スマート記憶デバイス２３０からワイヤレス通信装置２０２にコマンドを送信するための例示的な通信フロー５００を示すコールフロー図である。コマンドは、テキストを表示し、音声を再生し、メッセージを送信し、コールをセットアップすることなどを、ワイヤレス通信装置２０２に要求し得る。コール５０２では、ワイヤレス通信装置２０２は、スマート記憶デバイス２３０にデータパケットユニットを送信する。コール５０４では、スマート記憶デバイス２３０からのコマンドが利用可能であることのインジケーションとともに、データパケットユニットに応答を送信する。コール５０６では、ワイヤレス通信装置２０２は、スマート記憶デバイス２３０からの利用可能なコマンドをフェッチするようにコマンドを送信する。これに応答して、コール５０８では、スマート記憶デバイス２３０は、ワイヤレス通信装置２０２にコマンドを送信する。ワイヤレス通信装置２０２がコマンドを行うことが可能である場合、コマンドが行われた、または行われるであろうことを示す応答が、コール５１０において、スマート記憶デバイス２３０に送信される。
【００５３】
[0065]  スマート記憶デバイス２３０によってワイヤレス通信装置２０２に、アプリケーションツールキット３４０を介して提供され得るコマンドの１つのタイプは、「リフレッシュ」コマンドである。リフレッシュコマンドは、発生されたスマート記憶デバイス２３０上の変更をワイヤレス通信装置２０２に通知するために使用され得る。これに応答して、ワイヤレス通信装置２０２は、更新されたデータをスマート記憶デバイス２３０から取得するように、またはそうでなければ、更新された構成を与えられたスマート記憶デバイス２３０と対話するようにプロセスを初期化する。例えば、ＵＩＣＣ構成またはその他任意のタイプのネットワークアクセス情報における変更は、ネットワークアクセスアプリケーション３４４などのアプリケーションの動作の結果として発生されたものであり得る。ワイヤレス通信装置２０２は、ネットワークの複数の異なるエリア間で移動するときのネットワーク内の通信を改善するために、または、ネットワーク内でサービスにアクセスするために、この更新されたネットワークアクセス情報を使用する必要があり得る。リフレッシュコマンドを受信するときに、ワイヤレス通信装置２０２は、ＵＩＣＣ構成における変更のような、更新されたネットワークアクセス情報に基づくコマンドによって示されるようないくつかの動作のうちの１つを行い得る。例えば、ワイヤレス通信装置２０２は、ネットワークアクセスアプリケーションの初期化を行うこと、スマート記憶デバイス２３０によって記憶されるファイル内における更新された情報によってファイルのイメージを更新すること、各々のアプリケーションの終了を伴い得るスマート記憶デバイス２３０をリセットすること、ネットワークアクセスアプリケーションセッションをリセットすることなどを要求され得る。
【００５４】
[0066]  ワイヤレス通信装置２０２がリフレッシュコマンドを受信した時点で、ワイヤレス通信装置２０２がビジー状態であり得る。例えば、ワイヤレス通信装置２０２は、機能を行っている状態であり得、ここにおいてリフレッシュコマンドを行うことが、現在のユーザ動作に干渉し得る。例えば、ワイヤレス通信装置２０２は、データコール、音声コール上にあるか、または、ユーザによって積極的に使用され得る。ワイヤレス通信装置２０２がビジー状態である場合、ワイヤレス通信装置２０２は、「ビジー」状態と、スマート記憶デバイス２３０がのちにリフレッシュコマンドの送信を再試行し得ることとを示す応答を送信し得る。
【００５５】
[0067]  図６は、一実施形態に従い、ワイヤレス通信装置２０２がビジー状態である時に、スマート記憶デバイス２３０からワイヤレス通信装置２０２にリフレッシュコマンドを送信するための例示的な通信フロー６００を示すコールフロー図である。通信フロー６００は、ワイヤレス通信装置２０２が、リフレッシュコマンドが係属中である長期間の間に現在のユーザ動作に干渉し得る状態で動作するというシナリオに対応し得る。例えば、加入者は、いくつかの場合において、日中のほとんどの間、または常に、データコールにおいて占有された状態（occupied on data calls）であり得る。図６のコール６０２、６０４、および６０６は、図５のコール５０２、５０４、および５０６に対応しており、ここにおいて、スマート記憶デバイス２３０は、コマンドが係属中でありワイヤレス通信装置２０２がコマンドの送信を要求することを、ワイヤレス通信装置２０２に通知する。
【００５６】
[0068]  コール６０８で、スマート記憶デバイス２３０は、ワイヤレス通信装置２０２にリフレッシュコマンドを送信する。ワイヤレス通信装置２０２は、いくつかの他の動作によりリフレッシュを行うことが可能でないことを検出する。コール６１０で、ワイヤレス通信装置２０２は、ワイヤレス通信装置２０２がビジー状態であることのインジケータを有する応答を送信する。いくらか後の時点で、スマート記憶デバイス２３０は再試行し、コール６１２でスマート記憶デバイス２３０はワイヤレス通信装置２０２に第２のリフレッシュコマンドを送信する。ワイヤレス通信装置２０２は、それがビジーであることを再び検出し得、コール６１４で、「ビジー」のインジケーションを有する応答をスマート記憶デバイス２３０に送信する。いくらか後の時点で、スマート記憶デバイス２３０は再試行し、コール６１６でスマート記憶デバイス２３０はワイヤレス通信装置２０２に第３のリフレッシュコマンドを送信する。再び、ワイヤレス通信装置２０２はそれがビジーであることを検出し得、コール６１８で「ビジー」のインジケーションを有する別の応答を送信し得る。
【００５７】
[0069]  このプロセスは、ワイヤレス通信装置２０２がビジー状態であり続ける限り続行し得、従って、スマート記憶デバイス２３０による後続の再試行は、失敗し続け得る。この再試行プロセスは、潜在的に続行し、継続して、および／またはほぼ無制限に、続行することができ、「無限のリフレッシュ問題（infinite refresh problem）」とも呼ばれ得る。この状況は、いくつかの場合において質の悪いユーザエクスペリエンスをもたらし得る。例えば、公衆地上移動体ネットワーク（ＰＬＭＮ：public land mobile network）ファイルまたはスマート記憶デバイス２３０によって維持される他のネットワーク構成ファイルは、ネットワークにわたって加入者が移動することにつれて更新され得る。ワイヤレス通信装置２０２は、通信を改良するために、スマート記憶デバイス２３０からの更新を必要とし得、更新されたファイルを取得するために、リフレッシュコマンドを行うことを必要とし得る。ユーザがネットワークの異なる部分にわたって移動しており、しかしワイヤレス通信装置２０２が期限切れのＰＬＭＮファイルからの古い値を使用し続けている場合、ユーザは、質の悪いネットワークの接続性を経験し得る。最終的に、リフレッシュコマンドが、ユーザがデータコールを使用することを停止するとき、または、ワイヤレス通信装置２０２がリセットされるときに、更新を行うように、ワイヤレス通信装置２０２をトリガすることに、成功し得る。しかしながら、これは、長期間の間行われ得ず、ネットワーク内の質の悪い性能をもたらし得る。
【００５８】
[0070]  このように、本書に記述されるいくつかの実施形態の特定の態様は、リフレッシュコマンドがワイヤレス通信装置２０２によって行われることに失敗するというシナリオを回避することを意図するものである。例えば、一態様で、データはリフレッシュコマンドメッセージに含まれ得、それはリフレッシュコマンドに基づいて更新を行うことが移動端末によって行われる動作に関わらず必要とされることをワイヤレス通信装置２０２に示す。別の言い方をすると、リフレッシュコマンドは、このような条件下で、リフレッシュコマンドがたとえユーザ動作を混乱させても移動端末によって実行されることになることをオプションで示し得る。例えば、新しいフィールドがリフレッシュコマンドにおいて提供され得、これはワイヤレス通信装置２０２がワイヤレス通信装置２０２の現在の動作に関わらずリフレッシュを行うように要求される１つ以上の条件を規定し得る。例えば、端末が、ユーザ入力によるメニューのナビゲートにおけるビジー状態（busy navigating menus）、データコールにおけるビジー状態、音声コールにおけるビジー状態、任意のタイプのコールにおけるビジー状態のうちの少なくとも１つである場合、リフレッシュを行うことをワイヤレス通信装置２０２に「強制（force）」すること、全ての場合においてリフレッシュを「強制（force）」することなどを値が示し得る。１つ以上の他の条件がリフレッシュコマンドにおいてさらに提供され、どのようにワイヤレス通信装置２０２が与えられたリフレッシュ要求に応答してワイヤレス通信装置２０２の現在の動作をすべきであるかを決定するようにし得る。
【００５９】
[0071]  図７は、一実施形態に従い、リフレッシュを強制するためのインジケータとともに、スマート記憶デバイス２３０からワイヤレス通信装置２０２にリフレッシュコマンドを送信するための例示的な通信フロー７００を示すコールフロー図である。コール７０２では、いくつかの点において、無線アクセスネットワーク４０２（例えば、ＥＰＣ４１０から生じ得る、または、Ｅ−ＥＴＲＡＮ４０２内の、エンティティ）は、スマート記憶デバイス２３０によって維持されるいくつかのネットワークアクセス情報の更新によって、ワイヤレス通信装置２０２にメッセージを送信し得る。一実施形態において、スマート記憶デバイス２３０のためのデータは、ワイヤレス通信装置２０２がメッセージのコンテンツを判断することができないように暗号化され得る。コール７０４で、ワイヤレス通信装置２０２は、ネットワークアクセス情報を更新するためにスマート記憶デバイス２３０にコマンドを送信し、応答として、スマート記憶デバイス２３０は情報を更新する。スマート記憶デバイス２３０上でネットワークアクセス情報を更新するコール７０２および７０４が例であることが理解されるべきである。ネットワークアクセス情報の更新は、他のメカニズム、および通信フロー、またはその他任意のタイプのネットワークアクセスアプリケーション動作を介して生じ得る。
【００６０】
[0072]  更新されるネットワークアクセス情報は、スマート記憶デバイス２３０をトリガして、ワイヤレス通信装置２０２が更新されたデータを認識するまたは作動する必要があり得ることを決定させる。このように、スマート記憶デバイス２３０は、リフレッシュコマンドがワイヤレス通信装置２０２に送信されるべきであることを決定する。コール７０６で、データパケットユニットは、ワイヤレス通信装置２０２からスマート記憶デバイス２３０に送信される。ブロック７０８で、スマート記憶デバイス２３０は、係属中の利用可能なコマンドがあることのインジケーションを伴ってワイヤレス通信装置２０２に応答を送信する。ブロック７１０で、ワイヤレス通信装置２０２は、係属中のコマンドをフェッチするために、スマート記憶デバイス２３０にメッセージを送信する。ブロック７１２では、スマート記憶デバイス２３０は、リフレッシュコマンドメッセージを送信する。リフレッシュコマンドメッセージはまた、ワイヤレス通信装置２０２が現在の動作の動作（operation of a current operation）を保留して、リフレッシュコマンドを実行して１つ以上の条件下で任意の更新された情報を取得するためのプロセスを行うことを、要求するインジケータを含む。
【００６１】
[0073]  上述されたように、スマート記憶デバイス２３０がワイヤレス通信装置２０２に、現在の動作に関わらずリフレッシュを行うすることを「強制（force）」する１つ以上の条件は、様々な異なる動作シナリオに対応し得る。例えば、１つ以上の条件は、スマート記憶デバイス２３０による再試行の回数がしきい値を超えたときに、リフレッシュを「強制すること（forcing）」に対応し得る。加えて、１つ以上の条件は、ワイヤレス通信装置２０２においてアクティブであるコールの１つのタイプに基づくか、いくつかの基準に基づき得る。例えば、上に示されるように、１つ以上の条件は、端末が、ユーザ入力によるメニューのナビゲートにおけるビジー状態、データコールにおけるビジー状態、音声コールにおけるビジー状態、任意のタイプのコールにおけるビジー状態のうちの少なくとも１つである場合、ワイヤレス通信装置２０２にリフレッシュを行うことを「強制する（forcing）」こと、全ての場合においてリフレッシュを「強制する（force）」ことなどに、対応し得る。一実施形態で、１つ以上の条件は、上述された条件のように、リフレッシュコマンドが受信されたときに、ワイヤレス通信装置２０２がワイヤレス通信装置２０２において進行中の現在の動作のタイプに関わらず更新を行うことであり得る。
【００６２】
[0074]  １つ以上の条件が満たされると、コール７１４では、ワイヤレス通信装置２０２は、更新が行われた、または行われるであろうことを示す応答を、スマート記憶デバイス２３０に送信する。コール７１６では、リフレッシュ手順および通信が交換される。コール７１８では、ワイヤレス通信装置２０２および無線アクセスネットワーク４０２が、更新された情報を使用して通信する。
【００６３】
[0075]  他の実施形態で、リフレッシュコマンドは、ワイヤレス通信装置２０２が現在の動作に干渉し、ユーザからの入力を取得して、進行中のコールに関係なくユーザが同意すればリフレッシュを強制することのインジケーションを伴って送信される。
【００６４】
[0076]  他の実施形態では、スマート記憶デバイス２３０がワイヤレス通信装置２０２において進行中の全てのアクティブコールに関する情報を要求するリフレッシュコマンドが、規定され得る。ワイヤレス通信装置２０２からの応答は、電話番号およびＩＰアドレスと共にアクティブコール（例えば、音声およびデータ）のリストを含み得る。このデータの受信時に、このような情報は、上述されたようなリフレッシュを「強制する（forcing）」ための１つ以上の条件を決定するために、スマート記憶デバイス２３０によって使用され得る。例えば、スマート記憶デバイス２３０は、現在のアクティブコールの優先レベルを決定し、優先度がいくつかのしきい値を下回る場合にリフレッシュコマンドを強制するかどうかを決定し得る。より具体的には、一実施形態では、スマート記憶デバイス２３０が、データコールのみが進行中であることを示す情報を受信した場合に、スマート記憶デバイス２３０は、ワイヤレス通信装置２０２に、リフレッシュを行うことを「強制（force）」し得る。これに対して、アクティブコールが音声コールである場合に、スマート記憶デバイス２３０は、この音声コールがリフレッシュコマンドに優先し得ることを示し得る。
【００６５】
[0077]  リフレッシュコマンドは、１つ以上のフィールドを有するデータパケットユニットの一部として送信され得る。例えば、コマンドは、コマンドのタイプが「リフレッシュ（refresh）」であることを示すコマンドタグを含み得る。フィールドは、さらに、ワイヤレス通信装置２０２が他の情報フィールドに加えてリフレッシュコマンドに応答して行うことを要求される動作のタイプを示す他のタイプのフィールドを含み得る。これらのフィールドは、長さ、１つ以上のコマンドの詳細、デバイス識別子、ファイル識別情報、および（例えば、データが更新されている特定のネットワークアクセスアプリケーションを識別する）他の識別子を含み得る。一実施形態では、追加のフィールド、「リフレッシュの強制（enforce refresh）」がまた、ワイヤレス通信装置２０２によってリフレッシュを強制することを規定し得る。例えば、リフレッシュを強制するフィールドは、タグ（例えば、リフレッシュが強制されていないことを示す「０」、または、リフレッシュが強制されていることを示す「１」の値）を含む１以上のバイトを有し得る。リフレッシュを強制するフィールドはまた、リフレッシュが強制されている１つ以上の条件を示すために使用されるリフレッシュ強制値（enforce refresh value）を含み得る。別の言い方をすると、このフィールドは、たとえコマンドを行うことが現在のユーザ動作を混乱させてもワイヤレス通信装置２０２がリフレッシュコマンドを続行する１つ以上の条件を、示し得る。条件がどのように通信され得るかについての１つの可能な例として、リフレッシュ強制値は、以下のように通信され得る。  
「００」＝ワイヤレス通信装置２０２がメニューのナビゲートにおいてビジー状態である場合にリフレッシュを強制する、  
「０１」＝ワイヤレス通信装置２０２がデータコールにおいてビジー状態である場合にリフレッシュを強制する、  
「０２」＝ワイヤレス通信装置２０２が音声コールにおいてビジー状態である場合にリフレッシュを強制する、  
「０３」＝ワイヤレス通信装置２０２が任意のコールにおいてビジー状態である場合にリフレッシュを強制する、  
「ＦＦ」＝いかなる場合においてもリフレッシュを強制する。
【００６６】
[0078]  様々な他の条件もまた特定され得、リフレッシュを強制することをワイヤレス通信装置２０２に伝えるための他の方法、すなわち、リフレッシュが強制される１つ以上の条件があり得ることが、理解されるべきである。
【００６７】
[0079]  図８は、一実施形態に従い、ワイヤレス通信装置２０２にリフレッシュコマンドを送信するための例示的な方法８００の実施のフローチャートである。一態様では、方法８００は、スマート記憶デバイス２３０によって実現され得る。方法８００が、スマート記憶デバイス２３０の複数の要素について以下に記述されるが、当業者であれば、本書に記述される１つ以上のブロックを実現するために他のコンポーネントが使用され得ることを理解するはずである。
【００６８】
[0080]  ブロック８０２では、ネットワークアクセス情報が、スマート記憶デバイス２３０のメモリ３３４に記憶される。ネットワークアクセス情報は、ワイヤレス通信ネットワーク１００のサービスにアクセスするためのものであり得る。ブロック８０４で、スマート記憶デバイス２３０は、スマート記憶デバイス２３０によって記憶されるネットワークアクセス情報に対する更新をワイヤレス通信装置２０２に通知するデータを有するメッセージをワイヤレス通信装置２０２に送信する。このメッセージのデータは、さらに、１つ以上の条件に基づいて、ワイヤレス通信装置２０２がワイヤレス通信装置２０２のアクティブな動作を保留し、ワイヤレス通信装置によって管理される情報の更新を開始するコマンドを含む。ワイヤレス通信装置２０２による情報の更新は、更新されるネットワークアクセス情報の少なくとも一部に基づく。１つ以上の条件は、上述されたような条件のうちのいずれかに対応し得る。
【００６９】
[0081]  図９は、一実施形態に従い、スマート記憶デバイス２３０から受信されるリフレッシュコマンドを処理するための例示的な方法９００の実施のフローチャートである。一態様では、方法９００は、ワイヤレス通信装置２０２によって実現され得る。方法９００が、ワイヤレス通信装置２０２の複数の要素について以下に記述されるが、当業者であれば、本書に記述される１つ以上のブロックを実現するために他のコンポーネントが使用され得ることを理解するはずである。
【００７０】
[0082]  ブロック９０２では、リフレッシュコマンドがスマート記憶デバイス２３０から受信され、これはスマート記憶デバイス２３０に記憶されるネットワークアクセス情報に対する更新を示す。メッセージは、リフレッシュコマンドを行うための１つ以上の条件を有するインジケータを含む。１つ以上の条件は、例えば、ワイヤレス通信装置２０２の他の現在の動作またはアクティブコールのタイプに基づく、上述された条件のうちのいずれかを含み得る。決定ブロック９０４では、ワイヤレス通信装置２０２が、１つ以上の条件が満たされているかどうかを決定する。１つ以上の条件が満たされている場合、ブロック９０６では、ワイヤレス通信装置２０２が、ワイヤレス通信装置２０２の現在の動作を保留し、ブロック９０８において、リフレッシュコマンドを実施する。ブロック９１０では、ワイヤレス通信装置２０２は、リフレッシュコマンドが成功裏に処理されたことを示すメッセージを、スマート記憶デバイス２３０に送信する。１つ以上の条件が満たされておらず、ワイヤレス通信装置２０２がビジー状態である場合、ワイヤレス通信装置２０２は、次の再試行が必要であり得ることをスマート記憶デバイス２３０に許可する（let）ために、「ビジー状態（busy）」のインジケータを有する応答をスマート記憶デバイス２３０に送信する。
【００７１】
[0083]  図１０は、一実施形態に従い、スマート記憶デバイスと対話するための例示的な方法１０００の実施のフローチャートである。一態様では、方法１０００は、ワイヤレス通信装置２０２によって実現され得る。方法１０００は、ワイヤレス通信装置２０２の複数の要素について以下に記述されるが、当業者であれば、本書に記述される１つ以上のブロックを実現するために他のコンポーネントが使用され得ることを理解するはずである。
【００７２】
[0084]  ブロック１００２では、スマート記憶デバイス２３０からワイヤレス通信装置２０２によって受信されるメッセージに基づいて、情報が、ワイヤレス通信装置２０２において記憶される。ブロック１００４では、メッセージが、スマート記憶デバイス２３０から受信される。このメッセージは、スマート記憶デバイス２３０によって記憶されるワイヤレス通信ネットワークのサービスにアクセスするためのネットワークアクセス情報に対する更新をワイヤレス通信装置２０２に通知するデータを含む。このデータは、さらに、１つ以上の条件に基づいて、ワイヤレス通信装置２０２がワイヤレス通信装置２０２のアクティブな動作を保留し、情報の更新を開始するコマンドを含む。情報の更新は、更新されるネットワークアクセス情報の少なくとも一部に基づく。
【００７３】
[0085]  図１１は、いくつかの実施形態に従い、ワイヤレス通信装置２０２と結合され得る他の例示的な装置１１００の機能ブロック図である。当業者であれば、装置１１００がより多くのコンポーネント、例えば、図３に示される１つ以上のコンポーネントのうちのいずれか１つ以上、を有し得ることを理解するだろう。示される装置１１００は、特定の実施形態のいくつかの優れた特徴を説明するために有用なコンポーネントのみを含む。装置１１００は、ネットワークアクセス情報を記憶するように構成されるメモリ１１０２を含む。いくつかの場合において、記憶するための手段が、メモリ１１０２を含み得る。メモリ１１０２は、図８のブロック８０２に関して上述された機能のうちの１つ以上を行うするように構成され得る。装置１１００は、さらに、通信モジュール１１０６を含む。通信モジュール１１０６はワイヤレス通信装置２０２にコマンドを送信するように構成され得る。通信モジュール１１０６は、図８のブロック８０４に関して上述された機能のうちの１つ以上を行うように構成され得る。一態様では、メッセージを送信するための手段が通信モジュール１１０６を含み得る。装置１１００は、さらに、コマンド生成モジュール１１０４を含む。コマンド生成モジュール１１０４は、一態様で、リフレッシュコマンドを生成するように構成され得る。一態様では、コマンド生成モジュールがプロセッサ３３２を含み得る。一態様では、コマンドを生成するための手段がコマンド生成モジュール１１０４を含み得る。
【００７４】
[0086]  図１２は、一実施形態に従い、スマート記憶デバイス２３０に結合され得る他の例示的な装置１２００の機能ブロック図である。当業者であれば、装置１２００がより多くのコンポーネント、例えば、図２に示されるコンポーネントのうちのいずれか１つ以上、を有し得ることを理解するだろう。図示される装置１２００は、特定の実施形態のいくつかの優れた特徴を説明するために有用なコンポーネントのみを含む。装置１２００は、スマート記憶デバイス２３０から受信されるメッセージに基づいて情報を記憶するように構成されるメモリ１２０２を含む。いくつかの場合において、記憶するための手段はメモリ１２０２を含み得る。メモリ１２０２は、図１０のブロック１００２に関して上述された機能のうちの１つ以上を行うように構成され得る。装置１２００は、さらに、通信および制御モジュール１２０６を含む。通信および制御モジュール１２０６は、スマート記憶デバイス２３０からのコマンドによってメッセージを受信するように構成され得る。通信および制御モジュール１２０６は、図１０のブロック１００４に関して上述された機能のうちの１つ以上を行うように構成され得る。一態様では、メッセージを受信するための手段が、通信および制御モジュール１２０６を含み得る。
【００７５】
[0087]  ソフトウェアにおいて実現される場合、機能は、コンピュータ可読媒体において１つ以上の命令群またはコードとして、記憶され得るか、送信され得る。本書に記述されるアルゴリズムまたは方法の複数のステップは、コンピュータ可読媒体に存在し得るプロセッサ実行可能ソフトウェアモジュールにおいて実現され得る。コンピュータ可読媒体は、１つの場所から他の場所へのコンピュータプログラムを移動するために使用可能であることができる任意の媒体を含む、通信媒体およびコンピュータ記憶媒体の両方を含む。記憶媒体は、コンピュータによってアクセスされ得る任意の使用可能な媒体であり得る。限定ではなく例の目的で、このようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または、コマンドまたはデータ構造の形態で所望のプログラムコードを記憶するために使用され得、およびコンピュータによってアクセスされ得るその他任意の媒体を含み得る。また、任意の接続が、コンピュータ可読媒体と適切に称されることができる。本書で使用されるようなディスク（disk）およびディスク（disc）は、コンパクトディスク（ＣＤ)、レーザーディスク（登録商標）、光ディスク、デジタル多用途ディスク（ＤＶＤ)、フロッピー（登録商標）ディスク、およびブルーレイディスク（登録商標）を含み、ディスク（disk）は通例磁気的にデータを再生し、これに対してディスク（disc）は、レーザを用いて光学的にデータを再生する。上記の組合せはまた、コンピュータ可読媒体の範囲内に含まれるべきである。さらに、方法またはアルゴリズムの動作は、機械可読媒体およびコンピュータ可読媒体における命令群およびコードのセット、またはこれらのうちの１つまたはこれらの任意の組合せとして存在し得、コンピュータプログラム製品に組み込まれ得る。
【００７６】
[0088]  さらに、上述された方法およびシステムによって示されるように、本書での教示は、少なくとも１つの他のノードと通信するための様々なコンポーネントを使用するノード（例えば、デバイス）に組み込まれ得る。図１３は、いくつかの実施形態に従って、ノード間の通信を容易にするために使用され得るいくつかのサンプルコンポーネントを示す。特に、図１３は、多入力他出力（ＭＩＭＯ）システム１３００の第１のワイヤレスデバイス１３１０（例えば、アクセスポイント）および第２のワイヤレスデバイス１３５０（例えば、アクセス端末）の簡易化されたブロック図である。第１のデバイス１３１０において、複数のデータストリームに関わるトラヒックデータが、データソース１３１２から送信（ＴＸ）データプロセッサ１３１４に提供される。
【００７７】
[0089]  いくつかの態様では、各データストリームは、それぞれの送信アンテナを介して送信される。ＴＸデータプロセッサ１３１４は、符号化されたデータを提供するためにデータストリームに対して選択された特定の符号化スキームに基づいて、各データストリームに関わるトラヒックデータをフォーマット化、符号化、およびインターリーブする。
【００７８】
[0090]  各データストリームに関わる符号化されたデータは、ＯＦＤＭ技術を使用してパイロットデータによって多重化され得る。パイロットデータは、典型的に、周知の方法で処理される周知のデータパターンであり、チャネル応答を推定するために、受信機システムにおいて使用され得る。各データストリームに関わる符号化されたデータおよび多重化されたパイロットは、データストリームに対して選択された特定の変調スキーム（例えば、ＢＰＳＫ、ＱＳＰＫ、Ｍ−ＰＳＫ、または、Ｍ−ＱＡＭ）に基づいて変調され（例えば、シンボルマッピングされ）、変調シンボルを提供する。各データストリームに関わるデータ転送速度、符号化、変調は、プロセッサ１３３０によって行われる命令群によって決定され得る。データメモリ１３３２は、プログラムコード、データ、および、プロセッサ１３３０またはデバイス１３１０の他のコンポーネントによって使用される他の情報を記憶し得る。
【００７９】
[0091]  全てのデータストリームに関わる変調シンボルは、ＴＸ ＭＩＭＯプロセッサ１３２０に提供され、これは、さらに、（例えば、ＯＦＤＭに関して、）変調信号を処理し得る。ＴＸ ＭＩＭＯプロセッサ１３２０は、ＮＴトランシーバ（ＸＣＶＲ）１３２２Ａ乃至１３２２Ｔに、ＮＴ変調シンボルストリームを提供する。いくつかの態様では、ＴＸ ＭＩＭＯプロセッサ１３２０は、データストリームのシンボルに、および、シンボルが送信されているアンテナにビームフォーミングの重み（beam-forming weight）を適用する。
【００８０】
[0092]  各トランシーバ１３２２は、１つ以上のアナログ信号を提供するためのそれぞれのシンボルストリームを受信および処理し、さらに、ＭＩＭＯチャネルを介した送信に適した変調信号を提供するために、そのアナログ信号を調整（例えば、増幅、フィルタリング、およびアップコンバート）する。トランシーバ１３２２Ａ乃至１３２２ＴからのＮＴ変調信号は、それぞれＮＴアンテナ１３２４Ａ乃至１３２４Ｔから送信される。
【００８１】
[0093]  第２のデバイス１３５０では、送信された変調信号は、ＮＲアンテナ１３５２Ａ乃至１３５２Ｒによって受信され、各アンテナ１３５２から受信された信号は、それぞれのトランシーバ（ＸＣＶＲ）１３５４Ａ乃至１３５４Ｒに提供される。各トランシーバ１３５４は、それぞれの受信された信号を調整（例えば、フィルタリング、増幅、およびダウンコンバート）し、調整された信号をデジタル化してサンプルを提供し、さらに、サンプルを処理して、対応する「受信された（received）」シンボルストリームを提供する。
【００８２】
[0094]  受信（ＲＸ）データプロセッサ１３６０は、特定の受信機の処理技術に基づいて、ＮＲトランシーバ１３５４からＮＲ受信シンボルストリームを受信および処理し、ＮＴ「検出（detected）」シンボルストリームを提供する。ＲＸデータプロセッサ１３６０は、各検出されたシンボルストリームを復調、デインターリーブ、および復号して、データストリームに関わるトラヒックデータを回復する。ＲＸデータプロセッサ１３６０による処理は、デバイス１３１０におけるＴＸデータプロセッサ１３１４およびＴＸ ＭＩＭＯプロセッサ１３２０によって行われる処理を補完するものである。
【００８３】
[0095]  プロセッサ１３７０は、（以下に論じられる）どのプリコーディングマトリックス（pre-coding matrix）が使用されるかを周期的に決定する。プロセッサ１３７０は、マトリックスインデックス部分（matrix index portion）とランク値部分（rank value portion）とを備える逆方向リンクメッセージを定式化（formulate）する。データメモリ１３７２は、プログラムコード、データ、および、プロセッサ１３７０または第２のデバイス１３５０の他のコンポーネントによって使用される他の情報を記憶し得る。
【００８４】
[0096]  逆方向リンクメッセージは、受信されたデータストリームおよび／または通信リンクに関わる様々なタイプの情報を備え得る。逆方向リンクメッセージは、ＴＸデータプロセッサ１３３８によって処理され、これはまた、データソース１３３６から複数のデータストリームに関わるトラヒックデータを受信し、それは、変調器１３８０によって変調され、トランシーバ、１３５４Ａ乃至１３５４Ｒによって調整され、およびデバイス１３１０に戻るように送信される。
【００８５】
[0097]  デバイス１３１０において、第２のデバイス１３５０からの変調された信号は、アンテナ１３２４によって受信され、トランシーバ１３２２によって調整され、復調器（ＤＥＭＯＤ）１３４０によって復調され、および、ＲＸデータプロセッサ１３４２によって処理されて、第２のデバイス１３５０によって送信される逆方向リンクメッセージを抽出する。プロセッサ１３３０は、ビームフォーミングの重みを決定するためにどのプリコーディングマトリックスを使用するべきかを決定し、そして抽出されたメッセージを処理する。
【００８６】
[0098]  図１３はまた、通信コンポーネントが本書で教示されるようにアクセス制御動作を行う１つ以上のコンポーネントを含み得ることを、示す。例えば、アクセス制御コンポーネント１３９０は、本書に教示されるように、他のデバイス（例えばデバイス１３５０）へ／から信号を送信／受信するために、プロセッサ１３３０および／またはデバイス１３１０の他のコンポーネントと協動し得る。同様に、アクセス制御コンポーネント１３９２は、他のデバイス（例えばデバイス１３１０）へ／から信号を送信／受信するために、プロセッサ１３７０および／またはデバイス１３５０の他のコンポーネント１３５０と協動し得る。各デバイス１３１０および１３５０に関して、説明されたコンポーネントのうちの２つ以上の機能が、単一のコンポーネントによって提供され得ることが、理解されるべきである。例えば、単一の処理コンポーネントは、プロセッサ１３３０およびアクセス制御コンポーネント１３９０の機能を提供し得、および、単一の処理コンポーネントは、プロセッサ１３７０およびアクセス制御コンポーネント１３９２の機能を提供し得る。さらに、図２または３を参照して説明された装置１３００のコンポーネントが、図１３のコンポーネントと一体され得／これらのコンポーネントに組み込まれ得る。
【００８７】
[0099]  本書において「第１」、「第２」などの称号を使用して要素を言及することは、いずれも、一般に、これら要素の順番または数量を限定しない、ということが理解されるべきである。むしろ、これらの称号は、２つ以上の要素、または１つの要素の複数のインスタンスを区別する便利な方法として、本書では使用され得る。このため、第１および第２の要素の言及は、２つの要素のみが使用され得ること、または第１の要素がいくつかの方法で第２の要素に先行しなければならないことを、意味するのではない。また、要素のセットは、そうではないと述べられない限り、１つ以上の要素を含み得る。
【００８８】
[0100]  本分野の当業者であれば、情報および信号が、様々な異なる技術および技法の何れかを使用して示され得ることを理解するだろう。例えば、上記の説明にわたって参照され得るデータ、命令群、コマンド、情報、信号、ビット、シンボル、およびチップは、電圧、電流、電磁波、磁界または磁気粒子、光場または光学粒子、またはこれらの任意の組合せによって示され得る。
【００８９】
[0101]  さらに、本書に開示される態様に関連して説明される、様々な実例となる論理ブロック、モジュール、プロセッサ、手段、回路、およびアルゴリズムステップの何れも、電子機器（例えば、デジタル実装、アナログ実装、またはこれら２つの組合せであり、これらは、情報源符号化（source coding）またはその他の技術を使用して設計され得る）、命令群を組み込んでいる設計コードまたはプログラム様々な形態（それは、便宜上「ソフトウェア」または「ソフトウェアモジュール」として本書では呼ばれ得る）、またはこれら両方の組合せとして、実装され得ることを、本分野の当業者であれば理解するだろう。ハードウェアおよびソフトウェアのこの互換性を明確に示すために、様々な例示的なコンポーネント、ブロック、モジュール、回路、およびステップが、一般にこれら機能の観点で、上に説明されている。このような機能がハードウェアとして実現されるか、またはソフトウェアとして実現されるかは、システム全体に課せられた設計制約および特定のアプリケーションに依存する。精通した当業者は、各特定のアプリケーションのために様々な方法で開示された機能を実現し得るが、このような実現の決定は、本開示の範囲からの逸脱を招くとして解釈されるべきではない。
【００９０】
[0102]  本書で開示されるいくつかの態様に関連して、および、図１乃至１１に関連して説明された様々な例示的な論理ブロック、モジュール、および回路は、集積回路（ＩＣ）、アクセス端末、またはアクセスポイント内で実装され得、またはこれらによって行われ得る。ＩＣは、汎用プロセッサ、デジタル信号プロセッサ（ＤＳＰ）、特定用途向け集積回路（ＡＳＩＣ）、フィールドプログラマブルゲートアレー（ＦＰＧＡ）または他のプログラマブルロジックデバイス、離散ゲート、またはトランジスタロジック、離散ハードウェアコンポーネント、電気的コンポーネント、光学的コンポーネント、機械的コンポーネント、または、本書に記述された機能を行うように設計されたこれら任意の組合せを含み得、ＩＣ内、ＩＣ外、またはこれら両方に存在する命令群またはコードを実行し得る。論理的ブロック、モジュール、および回路は、ネットワーク内またはデバイス内の様々なコンポーネントと通信するために、アンテナおよび／またはトランシーバを含み得る。汎用プロセッサは、マイクロプロセッサであり得るが、選択的にプロセッサは、任意の従来のプロセッサ、制御装置、マイクロコントローラ、またはステートマシンであり得る。プロセッサはまた、複数のコンピューティングデバイスの組合せ、例えば、ＤＳＰおよびマイクロプロセッサの組合せ、複数のマイクロプロセッサ、ＤＳＰコアと連結されている１つ以上のマイクロプロセッサ、またはその他任意のこのような構成として実現され得る。モジュールの機能は、本書に教示されるように、その他の方法で実現され得る。（例えば、添付の図の１つ以上に関して）本書に記述される機能は、いくつかの態様では、同様に指定された、添付の請求項における「ミーンズフォー（means for）」機能に対応し得る。
【００９１】
[0103]  開示されたプロセスのステップの任意の特定の順番または優先度が、サンプルとしてのアプローチの一例であることが、理解される。設計の好みに基づいて、本開示の範囲内にありながら、プロセスのステップの優先度または特定の順番が再調整され得ることが、理解される。添付の方法請求項は、見本としての順番で様々なステップの複数の要素を提示するもので、提示された優先度または特定の順番に限定されることは意図されない。
【００９２】
[0104]  本開示において説明された実施形態に対する様々な変更は、当業者には容易に理解され得、本書に規定される一般的な原則は、本開示の精神または範囲を逸脱することなく、他の実施形態にも適用され得る。このため、本開示は、本書に示される実施形態に限定されることは意図されておらず、しかし、本書に開示される新規の特徴、原理および請求項に一致する最も広い範囲が与えられるべきである。「例示的な（exemplary）」という言葉は、「例、事例、または実例としての役割を果たす」ことを意味するためにのみ、本書で使用されている。「例示的」なものとして本書に記述される実施形態のいずれも、他の実施形態より有利である、または好ましいものとして必ずしも解釈されるべきではない。
【００９３】
[0105]  個々の実施形態のコンテキストで本明細書に説明される特定の特徴は、単一の実施形態において組み合わせて実現されることもできる。逆に、単一の実施形態のコンテキストで説明される様々な特徴は、任意の適切なサブコンビネーションで、または個別に、複数の実施形態で実現されることもできる。さらに、特徴が、特定の組合せで動作するとして上に説明され、さらにそのように最初に請求され得るが、請求される組み合わせからの１つ以上の特徴が、いくつかの場合において、組合せから削除されることができ、また、請求される組み合わせは、サブコンビネーション、またはサブコンビネーションの変形例を対象とし得る。
【００９４】
[0106]  同様に、複数の動作が特定の順番で図面に示されているが、このことは、このような動作が、示されている特定の順番でまたは順次的な順番で実施され、または、全ての説明される動作が実施されて所望の結果を得ることを、必要とするものとして、理解されるべきではない。特定の状況では、マルチタスクおよび並行処理が、有効となり得る。さらに、上記に説明される実施形態におけるさまざまなコンポーネントの分離は、全ての実施形態においてこのような分離を必要とするものとして理解されるべきではなく、説明されるプログラム・コンポーネントおよびシステムは、一般に、単一のソフトウェア製品に一緒に統合されるか、複数のソフトウェア製品に一括されることができることが、理解されるべきである。さらに、他の実施形態は、下記の請求項の範囲内である。いくつかの場合では、請求項に記載されている動作は、異なる順番で実施されても、所望の結果を得ることができる。
以下に本願発明の当初の特許請求の範囲に記載された発明を付記する。
[Ｃ１]  ワイヤレス通信ネットワークにおいて動作するワイヤレス通信装置に結合されるように構成されるスマート記憶デバイスであって、前記スマート記憶デバイスは、
前記ワイヤレス通信ネットワークのサービスにアクセスするためのネットワークアクセス情報を記憶するように構成されるメモリと、
前記ワイヤレス通信装置にメッセージを送信するように構成される制御装置と、前記メッセージは、前記スマート記憶デバイスによって記憶される前記ネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記ワイヤレス通信装置によって管理される情報の更新を開始するコマンドをさらに備え、前記情報の前記更新は、更新された前記ネットワークアクセス情報の少なくとも一部に基づく、
を備える、スマート記憶デバイス。
[Ｃ２]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ１に記載のスマート記憶デバイス。
[Ｃ３]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ１に記載のスマート記憶デバイス。
[Ｃ４]  前記コマンドは、ユーザ入力を得るためのインジケーションをさらに備え、前記１つ以上の条件は、前記ユーザ入力に基づいて更新を開始するための条件を備える、Ｃ１に記載のスマート記憶デバイス。
[Ｃ５]  前記メッセージは、第２のメッセージを備えており、前記制御装置は、前記ワイヤレス通信装置に第１のメッセージを送信することに応答して、前記ワイヤレス通信装置のアクティブコールのリストを受信するように構成されており、前記１つ以上の条件は、アクティブコールの前記リストに基づく、Ｃ１に記載のスマート記憶デバイス。
[Ｃ６]  前記ネットワークアクセス情報は、前記ワイヤレス通信装置のユーザに関連付けられた加入者情報、ネットワーク事業者情報、および認証情報のうちの少なくとも１つを備える、Ｃ１に記載のスマート記憶デバイス。
[Ｃ７]  前記スマート記憶デバイスは、ユニバーサル集積回路カード（ＵＩＣＣ）を備える、Ｃ１に記載のスマート記憶デバイス。
[Ｃ８]  前記スマート記憶デバイスは、加入者識別モジュール（ＳＩＭ）を備える、Ｃ１に記載のスマート記憶デバイス。
[Ｃ９]  前記コマンドは、前記更新を強制するように構成される、Ｃ１に記載のスマート記憶デバイス。
[Ｃ１０]  スマート記憶デバイスに記憶されるネットワークアクセス情報を管理する方法であって、前記スマート記憶デバイスは、ワイヤレス通信ネットワークにおいて動作するワイヤレス通信装置に結合されるように構成されており、前記方法は、
前記スマート記憶デバイスのメモリに前記ネットワークアクセス情報を記憶することと、前記ネットワークアクセス情報は、前記ワイヤレス通信ネットワークのサービスにアクセスするためのものである、
前記ワイヤレス通信装置にメッセージを送信することと、前記メッセージは、前記スマート記憶デバイスによって記憶される前記ネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記ワイヤレス通信装置によって管理される情報の更新を開始するコマンドをさらに備え、前記情報の更新は、更新された前記ネットワークアクセス情報の少なくとも一部に基づく、
を備える、方法。
[Ｃ１１]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ１０に記載の方法。
[Ｃ１２]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ１０に記載の方法。
[Ｃ１３]  前記コマンドは、ユーザ入力を得るためのインジケーションをさらに備え、前記１つ以上の条件は、前記ユーザ入力に基づいて更新を開始するための条件を備える、Ｃ１０に記載の方法。
[Ｃ１４]  前記メッセージは、第２のメッセージを備えており、前記方法は、さらに、前記ワイヤレス通信装置に第１のメッセージを送信することに応答して、前記ワイヤレス通信装置のアクティブコールのリストを受信することを備え、前記１つ以上の条件は、アクティブコールの前記リストに基づく、Ｃ１０に記載の方法。
[Ｃ１５]  前記ネットワークアクセス情報は、前記ワイヤレス通信装置のユーザに関連付けられた加入者情報、ネットワーク事業者情報、および認証情報のうちの少なくとも１つを備える、Ｃ１０に記載の方法。
[Ｃ１６]  前記スマート記憶デバイスは、ユニバーサル集積回路カード（ＵＩＣＣ）を備える、Ｃ１０に記載の方法。
[Ｃ１７]  前記コマンドは、前記更新を強制するように構成される、Ｃ１０に記載の方法。
[Ｃ１８]  ワイヤレス通信ネットワークにおいて動作するワイヤレス通信装置に結合されるように構成されるスマート記憶デバイスであって、前記スマート記憶デバイスは、
前記スマート記憶デバイスのメモリにネットワークアクセス情報を記憶するための手段と、前記ネットワークアクセス情報は、前記ワイヤレス通信ネットワークのサービスにアクセスするためのものである、
前記ワイヤレス通信装置にメッセージを送信するための手段と、前記メッセージは、前記スマート記憶デバイスによって記憶される前記ネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記ワイヤレス通信装置によって管理される情報の更新を開始するコマンドをさらに備え、前記情報の更新は、更新された前記ネットワークアクセス情報の少なくとも一部に基づく、
を備える、スマート記憶デバイス。
[Ｃ１９]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ１８に記載のスマート記憶デバイス。
[Ｃ２０]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ１８に記載のスマート記憶デバイス。
[Ｃ２１]  前記コマンドは、ユーザ入力を得るためのインジケーションをさらに備え、前記１つ以上の条件は、前記ユーザ入力に基づいて更新を開始するための条件を備える、Ｃ１８に記載のスマート記憶デバイス。
[Ｃ２２]  前記メッセージは、第２のメッセージを備えており、前記スマート記憶デバイスは、前記ワイヤレス通信装置に第１のメッセージを送信することに応答して、前記ワイヤレス通信装置のアクティブコールのリストを受信するための手段を備え、前記１つ以上の条件は、アクティブコールの前記リストに基づく、Ｃ１８に記載のスマート記憶デバイス。
[Ｃ２３]  実行時に、スマート記憶デバイスに、前記スマート記憶デバイスに記憶されるネットワークアクセス情報を管理する方法を行わせる命令群によってエンコードされた非一時的コンピュータ可読媒体を備える、コンピュータプログラム製品であって、前記スマート記憶デバイスは、ワイヤレス通信ネットワークにおいて動作するワイヤレス通信装置に結合されるように構成されており、前記方法は、
前記スマート記憶デバイスのメモリに前記ネットワークアクセス情報を記憶することと、前記ネットワークアクセス情報は、前記ワイヤレス通信ネットワークのサービスにアクセスするためのものである、
前記ワイヤレス通信装置にメッセージを送信することと、前記メッセージは、前記スマート記憶デバイスによって記憶される前記ネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記ワイヤレス通信装置によって管理される情報の更新を開始するコマンドをさらに備え、前記情報の更新は、更新された前記ネットワークアクセス情報の少なくとも一部に基づく、
を備える、コンピュータプログラム製品。
[Ｃ２４]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ２３に記載のコンピュータプログラム製品。
[Ｃ２５]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ２３に記載のコンピュータプログラム製品。
[Ｃ２６]  前記コマンドは、ユーザ入力を得るためのインジケーションをさらに備え、前記１つ以上の条件は、前記ユーザ入力に基づいて更新を開始するための条件を備える、Ｃ２３に記載のコンピュータプログラム製品。
[Ｃ２７]  前記メッセージは、第２のメッセージを備えており、前記方法は、さらに、前記ワイヤレス通信装置に第１のメッセージを送信することに応答して、前記ワイヤレス通信装置のアクティブコールのリストを受信することを備え、前記１つ以上の条件は、アクティブコールの前記リストに基づく、Ｃ２３に記載のコンピュータプログラム製品。
[Ｃ２８]  ワイヤレス通信ネットワークにおいて動作するワイヤレス通信装置であって、前記ワイヤレス通信装置は、記憶デバイスに結合されるように構成されており、前記ワイヤレス通信装置は、
前記記憶デバイスから受信される複数のメッセージに基づいて情報を記憶するように構成されるメモリと、
スマート記憶デバイスからメッセージを受信するように構成される制御装置と、前記メッセージは、前記スマート記憶デバイスによって記憶される前記ワイヤレス通信ネットワークのサービスにアクセスするために、ネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記情報の更新を開始するコマンドをさらに備え、前記情報の前記更新は、更新された前記ネットワークアクセス情報の少なくとも一部に基づく、
を備える、ワイヤレス通信装置。
[Ｃ２９]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ２８に記載のワイヤレス通信装置。
[Ｃ３０]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ２８に記載のワイヤレス通信装置。
[Ｃ３１]  前記コマンドは、ユーザ入力を得るためのインジケーションをさらに備え、前記１つ以上の条件は、前記ユーザ入力に基づいて更新を開始するための条件を備える、Ｃ２８に記載のワイヤレス通信装置。
[Ｃ３２]  前記メッセージは、第２のメッセージを備えており、前記制御装置は、前記ワイヤレス通信装置から第１のメッセージを受信することに応答して、前記ワイヤレス通信装置のアクティブコールのリストを送信するように構成されており、前記１つ以上の条件は、アクティブコールの前記リストに基づく、Ｃ２８に記載のワイヤレス通信装置。
[Ｃ３３]  前記スマート記憶デバイスは、ユニバーサル集積回路カード（ＵＩＣＣ）を備える、Ｃ２８に記載のワイヤレス通信装置。
[Ｃ３４]  前記コマンドは、前記更新を強制するように構成される、Ｃ２８に記載のワイヤレス通信装置。
[Ｃ３５]  スマート記憶デバイスと対話する方法であって、前記方法は、
前記スマート記憶デバイスからワイヤレス通信装置によって受信されるメッセージに基づいて、ワイヤレス通信装置で情報を記憶することと、
前記スマート記憶デバイスからメッセージを受信することと、前記メッセージは、前記スマート記憶デバイスによって記憶される、ワイヤレス通信ネットワークのサービスにアクセスするためのネットワークアクセス情報に対する更新を、前記ワイヤレス通信装置に通知するデータを備え、前記データは、前記ワイヤレス通信装置が１つ以上の条件に基づいて前記ワイヤレス通信装置のアクティブな動作を保留し、前記情報の更新を開始するコマンドをさらに備え、前記情報の更新は、更新された前記ネットワークアクセス情報の少なくとも一部に基づく、
を備える、方法。
[Ｃ３６]  前記１つ以上の条件に基づいて、前記情報の前記更新を開始することをさらに備える、Ｃ３５に記載の方法。
[Ｃ３７]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ３５に記載の方法。
[Ｃ３８]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ３５に記載の方法。
[Ｃ３９]  前記コマンドは、ユーザ入力を得るためのインジケーションをさらに備え、前記１つ以上の条件は、前記ユーザ入力に基づいて更新を開始するための条件を備える、Ｃ３５に記載の方法。
[Ｃ４０]  前記メッセージは、第２のメッセージを備えており、前記方法は、さらに、前記スマート記憶デバイスから第１のメッセージを受信することに応答して、前記ワイヤレス通信装置のアクティブコールのリストを送信することを備え、前記１つ以上の条件は、アクティブコールの前記リストに基づく、Ｃ３５に記載の方法。
[Ｃ４１]  ワイヤレス通信ネットワークにおいて動作するワイヤレス通信装置であって、前記ワイヤレス通信装置は、スマート記憶デバイスに結合されるように構成されており、前記ワイヤレス通信装置は、
前記スマート記憶デバイスから受信されるメッセージに基づく情報を記憶するための手段と、
前記スマート記憶デバイスからメッセージを受信するための手段と、前記メッセージは、前記スマート記憶デバイスによって記憶される前記ワイヤレス通信ネットワークのサービスにアクセスするためのネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記情報の更新を開始するコマンドをさらに備え、前記情報の更新は、更新された前記ネットワークアクセス情報の少なくとも一部に基づく、
を備える、ワイヤレス通信装置。
[Ｃ４２]  前記１つ以上の条件に基づいて、前記情報の前記更新を開始するための手段をさらに備える、Ｃ４１に記載のワイヤレス通信装置。
[Ｃ４３]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ４１に記載のワイヤレス通信装置。
[Ｃ４４]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ４１に記載のワイヤレス通信装置。
[Ｃ４５]  前記コマンドは、ユーザ入力を得るためのインジケーションをさらに備え、前記１つ以上の条件は、前記ユーザ入力に基づいて更新を開始するための条件を備える、Ｃ４１に記載のワイヤレス通信装置。
[Ｃ４６]  前記メッセージは、第２のメッセージを備えており、前記装置は、さらに、前記スマート記憶デバイスから第１のメッセージを受信することに応答して前記ワイヤレス通信装置のアクティブコールのリストを送信するための手段を備え、前記１つ以上の条件は、アクティブコールの前記リストに基づく、Ｃ４１に記載のワイヤレス通信装置。
[Ｃ４７]  実行時にワイヤレス通信装置にスマート記憶デバイスと対話するための方法を行わせる命令群によってエンコードされた、非一時的コンピュータ可読媒体を備えるコンピュータプログラム製品であって、前記方法は、
前記スマート記憶デバイスから受信されるメッセージに基づく情報を記憶することと、
前記スマート記憶デバイスからメッセージを受信することと、前記メッセージは、前記スマート記憶デバイスによって記憶されるワイヤレス通信ネットワークのサービスにアクセスするためのネットワークアクセス情報に対する更新を前記ワイヤレス通信装置に通知するデータを備え、前記データは、前記ワイヤレス通信装置が１つ以上の条件に基づいて前記ワイヤレス通信装置のアクティブな動作を保留し、前記情報の更新を開始するコマンドをさらに備え、前記情報の更新は、更新された前記ネットワークアクセス情報の少なくとも一部に基づく、
を備える、コンピュータプログラム製品。
[Ｃ４８]  前記１つ以上の条件は、前記メッセージが前記ワイヤレス通信装置に送信されるときに前記ワイヤレス通信装置によって行われる前記動作のタイプに関わらず、前記更新を開始するための条件を備える、Ｃ４７に記載のコンピュータプログラム製品。
[Ｃ４９]  前記１つ以上の条件は、前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、Ｃ４７に記載のコンピュータプログラム製品。
[Ｃ５０]  前記コマンドは、ユーザ入力を得るためのインジケーションをさらに備え、前記１つ以上の条件は、前記ユーザ入力に基づいて更新を開始するための条件を備える、Ｃ４７に記載のコンピュータプログラム製品。
[Ｃ５１]  前記メッセージは、第２のメッセージを備えており、前記方法は、さらに前記スマート記憶デバイスから第１のメッセージを受信することに応答して、前記ワイヤレス通信装置のアクティブコールのリストを送信することを備え、前記１つ以上の条件は、アクティブコールの前記リストに基づく、Ｃ４７に記載のコンピュータプログラム製品。
【図１】
0006426104.tif 000002
【図２】
0006426104.tif 000003
【図３】
0006426104.tif 000004
【図４】
0006426104.tif 000005
【図５】
0006426104.tif 000006
【図６】
0006426104.tif 000007
【図７】
0006426104.tif 000008
【図８】
0006426104.tif 000009
【図９】
0006426104.tif 000010
【図１０】
0006426104.tif 000011
【図１１】
0006426104.tif 000012
【図１２】
0006426104.tif 000013
【図１３】
0006426104.tif 000014